(57)【特許請求の範囲】
【請求項１】
レバーにより回動される中空の角芯棒、前記角芯棒に係合して前記角芯棒の軸方向に直線運動するとともに付勢部材によりラッチボルトと離反可能に常時係合して前記ラッチボルトを後退させるカム、前記角芯棒に回動可能に挿入され、一端に施錠部材が、他端に表示盤が取り付けられた連結板、前記施錠部材により回動可能で軸方向に不動の施錠用回動カム、前記施錠用回動カムに対向するように前記角芯棒の端部に固定された凹カム面形成部材、及び前記施錠用回動カムと凹カム面形成部材との対向面のそれぞれに形成された前記施錠用回動カムの回動を前記軸方向の運動に変換するカム面とからなる室内用ラッチ錠。
【発明の詳細な説明】
【技術分野】
【０００１】
本発明は、主としてレバーによりラッチボルトを進退させ、またラッチボルトを拘束して施錠する室内錠に関する。
【背景技術】
【０００２】
例えば特許文献１に見られるように室内錠にはノブやレバーにより進退させるラッチボルトをサムターン等によりロックして施錠する錠前が多用されている。
しかしながら、レバーは、ノブに比較して回動トルクが大きいため、施錠状態でレバーを操作すると、ロック機構に大きな力が作用し、またロック機構は構造的にサイズを小さくせざるを得ないためその耐久性に問題がある。
【先行技術文献】
【特許文献】
【０００３】
【特許文献１】特開平８−２３２５２６号公報
【発明の概要】
【発明が解決しようとする課題】
【０００４】
本発明はこのような問題に鑑みてなされたものであって、その目的とするところは、施錠時におけるレバー操作によっても施錠機構には大きな力が作用しないラッチ錠を提供することである。
【課題を解決するための手段】
【０００５】
本発明は、レバーにより回動される中空の角芯棒、前記角芯棒に係合して前記角芯棒の軸方向に直線運動するとともに付勢部材によりラッチボルトと離反可能に常時係合して前記ラッチボルトを後退させるカム、前記角芯棒に回動可能に挿入され、一端に施錠部材が、他端に表示盤が取り付けられた連結板、前記施錠部材により回動可能で軸方向に不動の施錠用回動カム、前記施錠用回動カムに対向するように前記角芯棒の端部に固定された凹カム面形成部材、及び前記施錠用回動カムと凹カム面形成部材との対向面のそれぞれに形成された前記施錠用回動カムの回動を前記軸方向の運動に変換するカム面とからなる室内用ラッチ錠である。
【発明の効果】
【０００６】
施錠時にレバーが操作されてもレバーの回動をロックする機構がないため、ロック機構の破損は起こらない。
【図面の簡単な説明】
【０００７】
【図１Ａ】図（ａ）〜（ｃ）はそれぞれ本発明の一実施例を示す図
【図１Ｂ】本発明の一実施例を示す断面図。
【図１Ｃ】図（ａ）（ｂ）はラッチボルトとカムとの関係を示す説明図。
【図１Ｄ】図（ａ）〜（ｃ）は施錠用回動カムと凹カム面形成部材との関係を示す説明図。
【図２Ａ】図（ａ）〜（ｃ）は、それぞれ本発明の他の実施例を示す図
【図２Ｂ】本発明の他の実施例を示す断面図。
【図２Ｃ】図（ａ）（ｂ）はそれぞれラッチボルトとカムとの関係を示す説明図。
【発明を実施するための形態】
【０００８】
図１Ａ、図１Ｂは、本発明の一実施例を示すものであって、錠前本体１を扉２の一方の表面に固定した面付け錠として構成されている。
ラッチボルト３を進退させる断面四角の中空の角芯棒４は、扉の表及び裏のハンドル５，６に連結されている。表側のハンドル５を回動可能に支持する座７にはハンドルを一定位置に弾性的に保持するバネ８が収容されている。
【０００９】
また、表側のハンドル５の中心部の先端には窓５ａが設けられ、ここに解錠、施錠を表示する表示盤９が設けられている。表示盤９には角芯棒４を回動可能に貫通し、かつ裏面側のサムターン１０により回動操作される連結板１１の先端が係合している。
【００１０】
ラッチボルト３は、図１Ｃに示したようにそのカム溝３ａが設けられ、そのカム溝３ａが角芯棒４により回動される駆動用カム１２に係合、切離可能に噛合うともに、駆動用カム１２の回動により受座１３に対して進退するようになっている。
【００１１】
図１Ｄに示したように駆動用カム１２には凹部１２ａが形成されていて、ここに角芯棒４の一端を固定した上で、凹カム面形成部材１４が固定されている。凹カム面形成部材１４は、連結板１１を自由に回動させる貫通孔を有すると共に、サムターン１０に係合する連結板１１により回動される施錠用回動カム１５に作用している。施錠用回動カム１５は、連結板１１が貫通可能で、かつ連結板１１の回動に追従する断面矩形の貫通穴１５ｂにより連結板１１と連結されている。
【００１２】
施錠用回動カム１５には凹カム面形成部材１４の凹カム面１４ａと係合し、回動により凹カム面形成部材１４をバネ１６に抗して駆動用カム１２をラッチボルト３との係合が解除される位置まで押圧する凸カム面１５ａと、施錠用回動カム１５及び凹カム面形成部材１４のそれぞれの対向面には押し込み状態を保持する平面部１５ｃ、１４ｂが形成されている。
【００１３】
この実施例においてドア２を閉じてラッチボルト３が受座１３に進入している状態で、施錠するべくサムターン１０を回動させると、連結板１１を介して施錠用回動カム１５が回動する。これにより凹カム面形成部材１４の凹カム面１４ａが施錠用回動カム１５のカム面１５ａに押されてバネ１６に抗して駆動用カム１２がラッチボルト３のカム溝３ａから離脱する（図１Ｃの（ｂ）、図１Ｄの（ｂ）（ｃ）矢印Ａ）。なお、施錠、つまりサムターン１０の回動は連結板１１を介して表示盤９に伝達され、施錠状態であることを表示する。
【００１４】
この状態でレバー５を操作すると、レバー５は、角芯棒４を回動させるものの、駆動用カム１２がラッチボルト３のカム溝３ａから離脱していて係合が解除されているため、ラッチボルト３は、受座１３との係合状態を依然として維持、つまり施錠状態を維持する。
【００１５】
この状態で、解錠しようとしてレバー５が過大な力で操作されても、レバー５はケース等のストッパにより回転が阻止されるため、従来の室内錠のロック機構よりも大きな力を受け止めることが可能となる。
【００１６】
解錠するべくサムターン１０を回動すると、連結板１１を介して施錠用回動カム１５を回動させる。これにより凹カム面形成部材１４の平面部１４ｂが施錠用回動カム１５の１５ｃから外れ、凹カム面形成部材１４の凹カム面１４ａが施錠用回動カム１５のカム面を滑りバネ１６の付勢力により図１Ｄの（ｃ）矢印Ｂの方向に移動して駆動用カム１２がラッチボルト３のカム溝３ａに進入する（図１Ｃの（ａ））。これにより、レバー５を回動させると、角芯棒４を介して駆動用カム１２がラッチボルト３を受座１３から後退させる。
なお、施錠、つまりサムターン１０の回動は連結板１１を介して表示盤９に伝達され、解錠状態であることを表示する。
【００１７】
上述の実施例は面付け錠に例を取って説明したが、錠本体を扉に埋没させて設置する筒錠の施錠構造として適用できることは明らかである。
すなわち図２Ａは筒錠の一実施例を示すものであって、扉２に錠本体２０が埋め込まれ、レバー２１、２２により角芯棒２３を介してラッチボルト２４を受座２５から後退させるように構成され、さらに前述の実施例と同様にサムターン２６の回動を連結板２７で伝達して施錠、解錠できるとともに、窓２８に表示盤２９によりその状態を表示するようになっている。
【００１８】
施錠機構は、図２Ｂ、Ｃに示すように前述の実施例と同様にサムターン２６に連結されている連結板２７により施錠用回動カム３０を回動させて凹カム面形成部材３１を進退させるように構成されている。
これによりラッチボルト２４の係合孔２４ａに係合している係合軸３２とカム３３との距離を、施錠時には図２Ｃ（ｂ）の矢印Ａ方向に移動させてカム３３を係合軸３２から遠のかせ、また解錠時は近づけさせる。
なお、図中符号３０ａ、３１ａはそれぞれ施錠用回動カム３０、凹カム面形成部材３１
に形成られたカム面と凹カム面を示す。
【符号の説明】
【００１９】
１  錠前本体    ３  ラッチボルト    ４  中空の角芯棒    ９  表示盤    １０  サムターン    １１  連結板    １４  凹カム面形成部材    １４ａ  凹カム面    １５  施錠用回動カム    １５ａ  凸カム面
【図１Ａ】
0005850563.tif 000002
【図１Ｂ】
0005850563.tif 000003
【図１Ｃ】
0005850563.tif 000004
【図１Ｄ】
0005850563.tif 000005
【図２Ａ】
0005850563.tif 000006
【図２Ｂ】
0005850563.tif 000007
【図２Ｃ】
0005850563.tif 000008